(57)【特許請求の範囲】
【請求項１】
前後ケース（１Ｆ・１Ｂ）を互いに突き合わせてなる本体ケース（１）の上部に、少なくとも一対の内外刃（２６・２７，３０・３１）を備えた剃刃ユニット（３）と、モータ（３５）と、モータ（３５）の駆動を内刃（２６，３０）へ伝達する駆動伝達手段（６６，６８）とを一体的に組み合わせてなる切断ヘッド（２）を有し、
切断ヘッド（２）の下端には、周壁（３２）と、モータ（３５）が垂下状態に取り付けられたスライド筒底壁（３３）とを有するスライド筒部（２２）が一体的に形成されており、
本体ケース（１）の上端内面には、本体ケース（１）と別体に構成されて、本体ケース（１）の上端開口部の内周に沿う形状の周壁（１５）と、開口（１６ａ）をもつガイド筒底壁（１６）とを有する有底筒状に形成されたヘッドガイド筒部（１４）が、周壁（１５）の上端を前後ケース（１Ｆ・１Ｂ）の各上端縁より上方へ突出させるように密着状に重ね合わせて一体的に組み付けられており、
前記スライド筒部（２２）は、ヘッドガイド筒部（１４）に内嵌され、モータ（３５）を前記開口（１６ａ）より下方に突出させることにより、切断ヘッド（２）が、本体ケース（１）に押上バネ部材（４２）を介して上下動自在に、かつ上方抜け止め状に保持されており、
切断ヘッド（２）に配備されたカバー部材（１７９・６４・６５）が、本体ケース（１）より上方へ突出するヘッドガイド筒部（１４）の周壁（１５）の外面を覆っていることを特徴とする電気かみそり。
【請求項２】
剃刃ユニット（３）が前後揺動自在に備えられている請求項１記載の電気かみそり。
【請求項３】
剃刃ユニット（３）が、外刃（２７）とこれの内面に摺接回転するシリンダ状の回転内刃（２６）とを有している請求項１又は２に記載の電気かみそり。
【請求項４】
剃刃ユニット（３）が、外刃（３１）とこれの内面に摺接する往復動内刃（３０）とを有している請求項１ないし３のいずれか１項に記載の電気かみそり。
【発明の詳細な説明】
【０００１】
【発明の属する技術分野】
本発明は、内外刃を有する切断ヘッドが本体ケースに対し上下動自在に備えられている電気かみそりに関する。
【０００２】
【従来の技術】
この種の電気かみそりは、例えば特開平６−７５５６号公報や特開平８−３８７５１号公報などに公知である。この電気かみそりにおいて切断ヘッドを本体ケースに対し上下動自在に備えるのは、切断ヘッドが肌から押圧を受けるときも外刃と内刃との密着度合いを常に一定に保持でき、常に安定した切れ味を発揮させるためである。そのために、左右一対の支持フレームが、前後ケースを突き合わせてなる本体ケース内において、左右の弾性アームで上下方向に浮動自在に支持されるとともに、押上げバネ部材で常に上方へ押し上げ付勢される。両支持フレームの上端部は本体ケースの上壁の左右スリットから上方へ突出させ、この上端部どうし間に外刃をアーチ状に装着するとともに、その外刃の内面に摺接する内刃を軸支する。一方、本体ケース内の両支持フレームの下部どうし間にはモータを搭載するとともに、該モータの駆動を前記内刃に伝達する駆動伝達手段を片方の支持フレームに搭載してある。そして左右の支持フレームと本体ケースの前記スリットとの間の隙間は可撓性の毛侵入防止板で塞ぎ、毛くずが前記スリットから本体ケース内に侵入するのを防止している。
【０００３】
【発明が解決しようとする課題】
前出の従来構造では、組み立てに際し、予め左右一対の支持フレームにモータ、駆動伝達手段および毛侵入防止板を組み付け、これを前ケースまたは後ケースのいずれか一方に組み付けた後、他方の後ケースまたは前ケースを被せ付けるのである。しかるに、その際、左右の弾性アームを前後ケースの内面に対し位置決め係合し、また毛侵入防止板を前後ケースの合わせ目の前記スリットの内周縁に係合固定する必要があるが、これら弾性アームや毛侵入防止板の係合作業に少々厄介な手間がかかるため、これが原因して組み立て作業能率が低下していた。
【０００４】
本発明の目的は、このような問題を解消するためになされたもので、内外刃および内刃駆動手段を含む切断ヘッドの本体ケースに対する組み付け性の向上を図る点にある。
【０００５】
【課題を解決するための手段】
本発明は、少なくとも一対の内外刃２６・２７（３０・３１）を有する剃刃ユニット３と、モータ３５と、モータ３５の駆動を内刃２６（３０）へ伝達する駆動伝達手段６６（６８）とを一体的に組み合わせてなる切断ヘッド２を備えた電気かみそりにおいて、次のように構成したことを特徴とする。
切断ヘッド２の下端にスライド筒部２２が一体的に形成され、このスライド筒部２２が本体ケース１の上端に設けたヘッドガイド筒部１４に押上バネ部材４２を介して上下動自在に、かつ上方抜け止め状に内嵌されて保持される。
【０００６】
上記ヘッドガイド筒部１４とスライド筒部２２との嵌合部をこれの外側から覆うためのカバー部材（１７９・６４・６５）が、切断ヘッド２側に配備される。
【０００７】
上記ヘッドガイド筒部１４は本体ケース１に一体に形成するか、または別体に構成してこれを本体ケース１の上端に一体的に結合する。
上記剃刃ユニット３は前後揺動自在に備える。剃刃ユニット３は回転内刃２６と外刃２７の組み合わせ、または往復動内刃３０と外刃３１の組み合わせ、またはこれらの両者の組み合わせからなる。
【０００８】
【作用】
上記構成によると、組み立てに際し、本体ケース１のヘッドガイド筒部１４に対し切断ヘッド２のスライド筒部２２を押上バネ部材４２を介して上方へ抜け止め状に内嵌するだけで、本体ケース１に対し切断ヘッド２即ち剃刃ユニット３、モータ３５、および駆動伝達手段６６（６８）を一斉に簡単に組み付けられる。
【０００９】
切断ヘッド２は、スライド筒部２２とヘッドガイド筒部１４どうしの嵌合深さでもって上下方向に真っ直ぐに安定確実に案内されてスライドするので、前述した従来の左右の弾性アームを敢えて必要とするものではない。
外刃２７（３１）から毛くずが外部へ飛散する場合もこの毛くずはヘッドガイド筒部１４で本体ケース１内に侵入するのを防止でき、前述した従来の毛侵入防止板を省略することができる。その際、切断ヘッド２側にカバー部材（１７９・６４・６５）を配備してあると、毛くず侵入防止の効果を高めることができる。
【００１０】
【発明の実施の形態】
（全体的構成）
図１ないし図３に示すように、この電気かみそりは、本体ケース１の上部に切断ヘッド２を組み付け、この切断ヘッド２は剃刃ユニット３を有する。
【００１１】
（本体ケース）
図１ないし図３において、本体ケース１は、互いに突き合わされる前後ケース１Ｆ・１Ｂ、および前後ケース１Ｆ・１Ｂの左右の突き合わせ面間に形成される開口部４を塞ぐよう嵌合されるサイドカバー１Ｌ・１Ｒとからなる。この本体ケース１の内部には回路基板５、電池６等の電装部品が組み込まれるとともに、本体ケース１の下端部に充電用プラグ７が備えられる。前ケース１Ｆの前面には起動・停止用のスイッチノブ９が上下スライド操作可能に備えられ、かつ充電状態表示用のインジケータ１０が設けられるとともに、飾りパネル１１がそれらスイッチノブ９およびインジケータ１０を露出するように重合固定される。また、図６のように本体ケース１の後面の上部にはきわ剃りユニット１２とこれを揺動出退させる操作ノブ１３が装備される。
【００１２】
（ヘッドガイド筒部）
図７ないし図９に示すように、本体ケース１の上端開口部内には、切断ヘッド２を上下動自在に保持するヘッドガイド筒部１４が取り付けられる。ヘッドガイド筒部１４は、本体ケース１の上端開口部の内周に沿う形状の周壁１５と、中央に開口１６ａをもつガイド筒底壁１６とを有する有底筒状に形成し、ガイド筒底壁１６の前端左右に取付片１７を一体に形成する。他方、前ケース１Ｆの上端内面には前記取付片１７を止めネジ２０で一体的に結合するための左右のボス１９を突設する。
【００１３】
（切断ヘッド・剃刃ユニット）
図７および図２３に示すように、切断ヘッド２は、ヘッドガイド筒部１４の上に上下動自在に内嵌されるスライド筒部２２と、このスライド筒部２２の上部に一体的に結合固定される駆動シャーシ２３と、この駆動シャーシ２３上に装着される剃刃ユニット３とを組み合わせてなる。剃刃ユニット３は、前記駆動シャーシ２３上に前後揺動自在に支持される基台２４と、この基台２４に着脱自在に装着される内刃ホルダ２５と、この内刃ホルダ２５に保持されるシリンダー形状の回転内刃２６と、これの外刃２７および外刃ホルダ２９と、往復動内刃３０およびこれの外刃３１とからなる。
【００１４】
（スライド筒部）
図１１に示すように、スライド筒部２２は、ヘッドガイド筒部１４に内嵌される周壁３２と、スライド筒底壁３３を有し、スライド筒底壁３３の中央の開口３４に縦型のモータ３５がビス３６で垂下状態に取り付けられ（図６参照）、モータ３５の上端の出力軸３７を開口３４より上方へ突出させる。
組み立てに際しては、例えば、予め、本体ケース１の上端にヘッドガイド筒部１４を取り付ける一方、スライド筒部２２と、駆動シャーシ２３と、基台２４、内刃ホルダ２５および外刃ホルダ２９等からなる剃刃ユニット３を互いに組み合わせて切断ヘッド２を組み立て、しかるのち、この切断ヘッド２を本体ケース１に組み付ける。
【００１５】
すなわち、図７および図８に示すように、ヘッドガイド筒部１４の周壁１５の前面側を前ケース１Ｆの上端内面に、取付片１７とボス１９が合致するように密着状に重ね合わせ、止めネジ２０を取付片１７の穴１７ａからボス１９にねじ込むことにより、ヘッドガイド筒部１４と前ケース１Ｆとを一体的に結合する。次いで、前ケース１Ｆに後ケース１Ｂを突き合わせるとともに、後ケース１Ｂの上端内面をヘッドガイド筒部１４の周壁１５の後面側に密着状に重ね合わせて、前後ケース１Ｆ・１Ｂを一体的に結合する。その際、ヘッドガイド筒部１４は、これの周壁１５の上端が前後ケース１Ｆ・１Ｂの各上端縁より少し上方へ突出するように組み付けられる。
【００１６】
次いで、予め組み立てられた切断ヘッド２のスライド筒部２２をヘッドガイド筒部１４にこれの上方から内嵌し、モータ３５をヘッドガイド筒部１４のガイド筒底壁１６の開口１６ａより下方へ突出させる。その際、スライド筒部２２は、図５に示すように、スライド筒底壁３３から下方へ突設した左右のフック状の抜止め爪３９を、ヘッドガイド筒部１４のガイド筒底壁１６の開口１６ａに挿入して該開口１６ａの縁１６ｂに上方抜け止め状に係合させる。またスライド筒底壁３３の下面に設けたボス４０とヘッドガイド筒部１４の内底のバネ受け４１との間に押上げバネ部材４２を介在させる。これによりモータ３５を含む切断ヘッド２全体が押上げバネ部材４２により常時上方へ押上げ付勢され、所定ストロークだけ上下動自在に弾性支持される。
【００１７】
他の組み付け手順としては、図４０に示すように、切断ヘッド２のスライド筒部２２にヘッドガイド筒部１４を押上げバネ部材４２を介して外嵌し、次いでヘッドガイド筒部１４を前ケース１Ｆの上端内面に止めネジ２０で取り付け、最後に後ケース１Ｂを前ケース１Ｆに被せ付けて一体的に結合することも考えられる。
【００１８】
（駆動シャーシ）
上記駆動シャーシ２３は、図１０に示すように、上面に円弧凹み面４３を形成した底フレーム４４を有し、この底フレーム４４の左右端から左右一対のサイドフレーム４５・４６を相対向状に立設する。そして駆動シャーシ２３は、底フレーム４４の下面から突設したボス（図示せず）を、スライド筒部２２のスライド筒底壁３３の上面に設けたボス４９に嵌合し、駆動シャーシ２３側のボスとスライド筒部２２側のボス４９とをネジ結合する。これで駆動シャーシ２３はスライド筒部２２にこれとの間に一定の空間を形成するよう一体的に結合される。図１２に示すように、そのサイドフレーム４５・４６間に基台２４が揺動軸心Ｐを中心に揺動可能に枢支される。
【００１９】
（基台）
図１２ないし図１５に示すように、基台２４は、上蓋板５２の嵌め込み装着によって閉塞される浅い箱状に形成され、その左右から山形のブラケット部５３・５４を立設する。左右のブラケット部５３・５４の各上端から中空状の支軸部５５を外方へ突設し、この両支軸部５５は前記駆動シャーシ２３のサイドフレーム４５・４６の各上端に開口した軸穴５６に挿通することで、基台２４が駆動シャーシ２３に前後揺動自在に枢支連結される。その際、支軸部５５の外周に上下一対の係合突起５７を設ける一方、軸穴５６の内周に前後一対の切欠５９を設けて、一旦基台２４を横向き姿勢にして支軸部５５の係合突起５７を軸穴５６の切欠５９に一致させた状態で通す。しかるのち、基台２４を９０度回転させることで、係合突起５７が軸穴５６に係合し、この係合により、特別な枢着用のネジ等の使用することなく、支軸部５５が軸穴５６から抜け出ないように簡単かつ確実に枢支連結される。基台２４の底は前記駆動シャーシ２３の円弧凹み面４３に対応して凸円弧面６１に形成される。これら基台２４の凸円弧面６１と駆動シャーシ２３の円弧凹み面４３との間には僅かな隙間が形成されて基台２４の揺動抵抗の低減を図っている。
基台２４の内部には、後述するように、往復動内刃３０の駆動系の振動子６２と外刃ホルダ２９の係合ロック機構６３（図１４参照）が組み込まれる。
【００２０】
（回転内刃駆動系）
図１０において、前記駆動シャーシ２３の各サイドフレーム４５・４６の外側にはキャップ６４・６５が嵌着固定される。左側のサイドフレーム４５とキャップ６４との間に空間を形成し、この空間の内部と、前記駆動シャーシ２３とスライド筒部１４間の内部空間とにわたって、モータ出力を剃刃ユニット３の回転内刃２６に伝達するための第１の駆動伝達手段６６が装備される。
【００２１】
図５および図２１にその駆動伝達手段６６を示す。この駆動伝達手段６６は、モータ３５の出力軸３７に固着された第１伝動ギヤＧ１、これに噛み合う第２伝動ギヤＧ２、この第２伝動ギヤＧ２に一体連設された第３伝動ギヤＧ３、この第３伝動ギヤＧ３に噛み合う第４伝動ギヤＧ４、第４伝動ギヤＧ４の上面に一体形成されたフェースギヤである第５伝動ギヤＧ５、第５伝動ギヤＧ５に直交状に噛み合う第６伝動ギヤＧ６、第６伝動ギヤＧ６に一体連設された第７伝動ギヤＧ７、第７伝動ギヤＧ７に噛み合う第８伝動ギヤＧ８、第８伝動ギヤＧ８に噛み合う第９伝動ギヤＧ９、第９伝動ギヤＧ９と同軸６７上に並列状に固着された最終伝動ギヤＧ１０とから構成される。最終伝動ギヤＧ１０と第９伝動ギヤＧ９とを両端に固着した軸６７は揺動軸心Ｐとなるが、これは基台５１の支軸部５５の中心穴に通される。モータ３５は回転内刃２６の駆動源のみならず、往復動内刃３０およびきわ剃りユニット１２の駆動源にも共用する。その際、モータ３５の出力軸３７の上端に偏心ピン６９を固着し、この出力を後述するように第２の駆動伝達手段６８を介して往復動内刃３０に伝達する。またモータ３５の出力軸３７上の第１伝動ギヤＧ１より下方に偏心カム７０を固着し、この偏心カム７０の出力を後述するように第３の駆動伝達手段１９８を介してきわ剃りユニット１２に伝達する。
【００２２】
（剃刃ユニット）
図２３に示すように、剃刃ユニット３は、前後一対のシリンダ形状の回転内刃２６Ｆ・２６Ｂを前記揺動軸心Ｐと平行に並列軸支した内刃ホルダ２５と、網目状に形成された前後２枚の外刃２７・２７をアーチ状に張設した外刃ホルダ２９と、前後の外刃２７・２７間に平行に組み付けられる往復動内刃３０およびその外刃３１とを備える。このように前後の外刃２７・２７および回転内刃２６・２６と、この中間に配される往復動内刃３０およびその外刃３１とで三枚刃構造にすることにより、早剃り、深剃りをすることができ、特にくせ毛や長毛（剃り残し毛）も往復動内刃３０およびその外刃３１とで荒剃りしながら外刃２７および回転内刃２６で仕上げ剃りすることができる。その際、剃刃ユニット３が最終伝動ギヤＧ１０の軸心Ｐを中心に首振り揺動することで、顔の凹凸や顎下などの剃りにくい部分にも剃刃ユニット３を容易に追従させることができる。
【００２３】
（内刃ホルダ）
図１８および図１９に示すように、内刃ホルダ２５は、平坦な毛くず受け面７１を形成するホルダ底壁７２の左右端から側壁７３・７４を立設しており、この側壁７３・７４間に前記回転内刃２６・２６が軸受Ｍ・Ｍを介して平行に軸支され、かつ回転内刃２６・２６と毛くず受け面７１との間には前後から清掃ブラシを挿入できる程度の空間が形成される。また、各回転内刃２６の左端の軸７５に一体化した入力ギヤ７８が、左側の側壁７３の外側に位置するよう配備される。各側壁７３・７４の外側にはカバー体７６・７７が嵌合連結され、左側のカバー体７６には前記入力ギヤ７８・７８の対向する一部を露出させる開口７９が形成される。このように入力ギヤ７８・７８の対向する一部を露出させることで、この内刃ホルダ２５の基台２４への組み付けに伴って、各入力ギヤ７８・７８の露出部分を前記最終伝動ギヤＧ１０にそれぞれ容易に噛み合わすことができる。
【００２４】
図１６および図１９において、内刃ホルダ２５の右側壁７４の外面には、基台２４の右側のブラケット部５４をガイド部としてこれに上方より係合できる前後一対のＬ形の係合リブ９０・９１が形成される。さらに、左右側壁７３・７４に嵌合される上記カバー体７６・７７の開口７９・７９の内壁面も、基台２４への内刃ホルダ２５の装着時のガイド部として、左右のブラケット部５３・５４の側面に沿って嵌まり込む。右側のブラケット部５４に係合リブ９０・９１を係合させるとともに、左右のブラケット部５３・５４の側面にカバー体７６・７７の開口７９・７９を嵌合させることにより、内刃ホルダ２５が基台２４に対して位置決めされた状態、つまり各回転内刃２６の軸心が最終伝動ギヤＧ１０の軸心である揺動軸心Ｐから一定距離に位置する状態に組み付けられる。
【００２５】
図１９および図２０に示すように、内刃ホルダ２５の左右側壁７３・７４の各外面には前後一対の弾性を有する係合アーム９２が垂下状に形成され、この係合アーム９２の下端にフック部９２ａが設けられる。図１６および図２２に示すように、この内刃ホルダ２５を基台２４にこれの上方から押し込み操作すると、係合アーム９２のフック部９２ａが弾性変形を介して基台２４の左右側壁５３・５４の各内面に設けた凹部９３に係脱自在に係合する。かかる係合状態は、内刃ホルダ２５をつかんで上方へ強く引っ張る操作力で係合アーム９２が弾性変形を介してフック部９２ａを凹部９３から抜け出す程度に設定してある。従って、回転内刃２６の交換に際し、内刃ホルダ２５を容易に外すことができる。
【００２６】
（外刃ホルダ）
図２６および図２７に示すように、外刃ホルダ２９は、前後壁部９４・９５と左右側壁９６・９７とを備えた中抜き形状に形成され、左右側壁９６・９７はそれぞれ内外二重壁９６ａ・９６ｂ・９７ａ・９７ｂに形成される。各内壁９６ａ・９７ａには前後一対ずつの第１切欠部９９を形成するが、この第１切欠部９９は、外刃ホルダ２９を内刃ホルダ２５および基台２４にこれの上方から嵌め込み装着する際に、内壁９６ａ・９７ａが各回転内刃２６の左右両端の軸７５と接当干渉するのを避けるために設けられる。各外壁９６ｂ・９７ｂには、前記外刃ホルダ２９の嵌め込み装着に際し基台２４のブラケット部５３・５４に嵌合する第２切欠部１００が形成される。
【００２７】
外刃ホルダ２９の前後壁部９４・９５の各内面には、図２５に示す外刃張設用の前後のエンドピース１０１・１０２をかしめ溶着するためのピン１０３が設けられる。左右側壁９６・９７における各内壁９６ａ・９７ａの内面の前後中間部には、外刃張設用の中央エンドピース１０４を左右から係合支持する縦長溝１０５が形成される。
各エンドピース１０１・１０２・１０４はプラスチック成形されたものであり、図２７および図３２に示すように、各外刃２７の内刃回転方向の上手側の一端部は、中央エンドピース１０４および前エンドピース１０１からそれぞれ突設した固定ピン１０４ａ・１０１ａにかしめ溶着することで固定される。また、各外刃２７の内刃回転方向の下手側の他端部は、後エンドピース１０２および中央エンドピース１０４に上下方向に弾性変位自在に一体形成した弾性腕１０２ｂ・１０４ｂから突出する可動ピン１０２ｃ・１０４ｃに補助バネ２０５を介してかしめ溶着することで引っ張り状態に取り付けられる。
【００２８】
このように各外刃２７の内刃回転方向上手側の一端部を固定し、内刃回転方向下手側の他端部を引っ張っておくと、各外刃２７が回転内刃２６との摺接抵抗を受けて内刃回転方向の下手側に向けて引っ張られ、その回転方向の下手側において外刃２７の弛みが発生しがちとなるのをよく抑えて、常に外刃２７の回転内刃２６との密着性を高めることができ、切れ味を向上できる。なお外刃ホルダ２９の後壁部９５の外面には後側の外刃２７にひげを起毛しながら導入するためのコーム２０４が形成される。
【００２９】
（往復動内刃・外刃）
前後の外刃２７・２７間の中央エンドピース１０４の上には、往復動内刃３０およびその外刃３１が組み付けられる。これら内外刃３０・３１については図２８ないし図３０に示す。往復動内刃３０は断面コの字形状に形成されて前後刃板１０６・１０７の連結上端部にくし状刃１０９とスリット１０８とを左右方向に交互に列設してある。この往復動内刃３０の前後刃板１０６・１０７間の中央部には、板バネなどのバネ部材１１０を上端に保持し、下端に二股部１１１ａを有する駆動ピース１１１がピン結合される。他方、その外刃３１は、往復動内刃３０に対応させて、断面コの字形状に形成されて前後刃板１１２・１１３の連結上端部の前後二列にくし状刃１１４とスリット１１８とを左右方向に交互に列設してある。この外刃３１の前後刃板１１２・１１３間に、往復動内刃３０をバネ部材１１０および駆動ピース１１１ごと嵌め込み、次いで外刃３１の前後刃板１１２・１１３間の左右に、バネ部材１１０の左右の自由端を受け止める外刃ピース１１５をピン結合する。そのバネ部材１１０のスプリング作用で往復動内刃３０のくし状刃１０９が外刃３１のくし状刃１１４の内面に密着する。
【００３０】
このように、予め一体的に組み合わせた往復動内刃３０と外刃３１とは、図２６に示すように、外刃３１の左右端から突出する外刃ピース１１５の突起１１５ａを、外刃ホルダ２９の左右の内壁９６ａ・９７ａの内面の前記縦長溝１０５の上方に設けた縦長溝１１６に上下動可能に係合支持することで、中央エンドピース１０４上に組み付けられる。その際、左右の外刃ピース１１５と中央エンドピース１０４との間にバネ部材１１７を介在させ、このバネ部材１１７のスプリング作用で常時往復動内刃３０が外刃３１ごと押し上げ付勢される。これにより外刃３１が肌に優しく追従する。
【００３１】
（往復動内刃駆動系）
次に、図５および図１４に基づき往復動内刃３０を駆動する第２の駆動伝達手段６８について説明する。これは基台２４の内部に、モータ３５の出力軸３７上の偏心ピン６９の回転を左右往復動に変換して回転内刃３０に伝達するための振動子６２を内蔵する。その振動子６２はこれ全体がプラスチック成形品であり、下面に溝１２０を前後方向に形成した振動子本体１２１と、振動子本体１２１の上面中央から上方へ突設した駆動軸１２２、および振動子本体１２１の左右端に一体に形成した薄肉部１２３とを有してなる。そして振動子６２は左右の薄肉部１２３の端部１２３ａに孔１２３ｂを設け、この孔１２３ｂを基台２４の内面に突設したピン２４１に圧入嵌合する。その際、振動子６２の駆動軸１２２は、基台２４を閉塞するための上蓋板５２の中央の開口５２ａに通したのち、更に内刃ホルダ２５のホルダ底壁７２の中央の開口７２ａ内に通してから上方へ突出させる。この駆動軸１２２の突出上端部は、図６に示すごとく中央エンドピース１０４に設けた切欠１０４ａに通したうえで、往復動内刃３０の駆動ピース１１１の二股部１１１ａに係合させる。振動子本体１２１の下面の溝１２０には前記偏心ピン６９を係合させる。上蓋板５２の中央の開口５２ａと駆動軸１２２との間の間隙は、可撓性の毛止めカバー１２４で塞がれる。
しかるときは、モータ３５の駆動により、振動子６２が偏心ピン６９との係合を介して左右に直線往復動し、往復動内刃３０が外刃３１の内面を左右方向に摺接運動する。
【００３２】
（外刃ホルダの係合ロック機構）
前記外刃ホルダ２９の係合ロック機構６３の構成が図１４および図３３に示される。
基台２４の内部に、取外板１２５が前記振動子６２の下方に位置するよう組み付けられる。取外板１２５はこれ全体がプラスチック成形品であって、前後一対の係止爪１２６を有する左右側板部１２７・１２９と、この左右側板部１２７・１２９どうしを一体に連結する枠板部１３０とを有する。右側板部１２９の外面における前後の係止爪１２６・１２６間には押圧突起１３１を突設する。枠板部１３０は、前記振動子６２の下面中央凸部６２ａとの干渉を避けるための透孔１３２を有する枠状に形成されて、前後枠部１３３・１３４と左右枠部１３５・１３６とを有する。右側板部１２９と剛体的に結合する右枠部１３６は前後幅広の厚板状に形成される。左側板部１２７と一体に連続する左枠部１３５は、前後枠部１３３・１３４に薄肉部１３７を介して連接される前後一対の彎曲部１３９ａ・１３９ｂを有する二山形状部１３９が形成される。その彎曲部１３９ａ・１３９ｂ間の中間部と左側板部１２７の前後方向中央部とは棒状部１４０で連接する。彎曲部１３９ａ・１３９ｂの棒状部１４０との連接部１３９ｃ・１３９ｄも薄肉状に形成する。棒状部１４０および右枠部１３６の各下面にはバネ装着溝１４１を凹設する。
【００３３】
この取外板１２５は基台２４の内部に左右方向にスライド自在に組み付けられるが、その際、基台２４の左右ブラケット部５３・５４の各根元寄り部の前後に設けた開口１４１に係止爪１２６を通してこの爪先端を外部へ突出させ、かつ押圧突起１３１を右ブラケット部５４の根元部の前後中央部に設けた開口１４２に通すとともに、基台２４の内部左側に突設した前後のリブ１４３・１４３に、二山形状部１３９の彎曲部１３９ａ・１３９ｂを当接させる。棒状部１４０および右枠部１３６の各下面のバネ装着溝１４４と、基台２４の内底面の左右から突設したバネ受け突起１４５との間に、復帰バネ部材１４６を介在させる。この左右一対の復帰バネ材１４６により常に取外板１２５が左右の係止爪１２６を各開口１４１から突出するよう押圧付勢される。
【００３４】
図２３に示すように、基台２４の開口１４１から突出する各係止爪１２６の突出端は、外刃ホルダ２９の左右の外壁９６ｂ・９７ｂの下部内面に形成された係合凹部１４７に係合し、この係合により外刃ホルダ２９が基台２４に対して所定位置に装着固定される。
いま、押圧突起１３１を基台２４の内方（左方向）へ押圧操作すると、取外板１２５は基台２４の前後壁部２４２・２４３の案内下で左方向へ摺動し、押圧突起１３１の左側の係止爪１２６が基台２４の内方へ退入すると同時に、前後枠部１３３・１３４に押されて、二山形状部１３９の彎曲部１３９ａ・１３９ｂがリブ１４３に押し付けられながら薄肉部１３７および薄肉状の連接部１３９ｃ・１３９ｄで弾性変形し（図３３の二点鎖線状態）、この弾性変形に伴い棒状部１４０が左側板部１２７および係止爪１２６ごと基台２４の内方へ引き込まれる。この結果外刃ホルダ２９の係合ロックが解除される。
【００３５】
上記取外板１２５の押圧突起１３１を外部操作するロック解除ボタン１４９は、図５および図１２に示すように、キャップ６５および右側のサイドフレーム４６に設けた透孔１５０・１５１に挿入されるとともに、このロック解除ボタン１４９の内端が押圧突起１３１に対向して配備される。従って、ロック解除ボタン１４９を押し込み操作することで、取外板１２５が上記のように復帰バネ部材１４６に抗してロック解除方向に押圧変位する。また、外刃ホルダ２９を装着する場合には、単に外刃ホルダ２９を基台２４に上方から押し込み操作するだけで、係合ロック機構６３が自動的にロック作動する。
【００３６】
（安全スイッチ機構）
図３４ないし図３７に、外刃ホルダ２９を取り外すと起動・停止用のスイッチノブ９を停止位置（スイッチオフ位置）に機械的にロックして不測な内刃２６の回転を阻止できるという、安全スイッチ機構を示す。この安全スイッチ機構は、スイッチノブ９と外刃ホルダ２９の右側壁９７との間に、第１ピース１５５と、第２ピース１５９および第３ピース１６０を組み込む。
図８および図３４に示すように、スイッチノブ９は前ケース１Ｆの内面沿いに配される節度板１５７と一体的に結合し、この節度板１５７には内面に導電性板バネを備えた作動片１５８および一対の弾性アーム２２０を備える。スイッチノブ９を停止位置（スイッチオフ位置）と起動位置（スイッチオン位置）との間で上下動させるに伴い、節度板１５７の作動片１５８が回路基板５上の駆動回路の端子間を開閉するとともに、弾性アーム２２０が前ケース１Ｆの内面側に設けた節度突起２２１に係脱し、この係合作用でスイッチノブ９がオフ位置またはオン位置に停止保持される。
【００３７】
第１ピース１５５は、これの上端にホルダ受部１５５ａを、下端に基台２４の揺動軸心Ｐを中心にして描かれる凸円弧状の押さえ部１５５ｂをそれぞれ有するとともに、内面に抜止め爪１５５ｃを突設する。この第１ピース１５５は抜止め爪１５５ｃを、図１６および図３４に示すごとく基台２４のブラケット部５４の外面に設けた縦長のスリット２２２に、上下スライド自在に係合することで、ブラケット部５４の外面上を昇降動自在にかつ押上バネ部材１５６で常時押上げ付勢する状態に取り付けられる。なお第１ピース１５５の上下方向中間部には、基台２４の揺動軸心Ｐを中心にして描かれる円弧状の孔２２３を設け、この孔２２３に前記ロック解除ボタン１４９の軸部を通して該ボタン１４９との干渉を避けている。更に第１ピース１５５には前記孔２２３の上方に縦長の孔２０６を設け、この孔２０６に後述のピン１７５を通して該ピン１７５との干渉を避ける。
【００３８】
第１ピース１５５の押さえ部１５５ｂと、前記節度板１５７の上端に設けた被規制部１５７ａとの間に、第２ピース１５９と第３ピース１６０が組み込まれる。
第２ピース１５９はプレート１６１を有し、このプレート１６１の上面の左右方向一端に受けピン１６２を上向きに突設し、プレート１６１の下面の左右両端に２本のスライドピン１６３・１６４を下向きに突設する。この第２ピース１５９は、受けピン１６２が上部シャーシ２３Ｕの底シャーシ４４に開けた孔１５２を貫通して第１ピース１５５の押さえ部１５５ｂの下方に位置するように、スライドピン１６３・１６４を下部シャーシ２３Ｄのシャーシ底壁３３に設けたガイド孔２２４・２２４に挿入する。各ピン１６３・１６４に外嵌装着した押上バネ部材１６５はプレート１６１とシャーシ底壁３３間に介在させる。これで第２ピース１５９は下部シャーシ２３Ｄ上に上下方向に平行移動自在にかつ押上バネ部材１６５で常に上動付勢するよう取り付けられる。
【００３９】
第３ピース１６０は揺動軸部１６６にピース受部１６７と作用部１６８とを互いに直交するよう備える。そして第３ピース１６０は、揺動軸部１６６の両端を下部シャーシ２３Ｄのシャーシ底壁３３に設けた軸受１６９・１６９に前後揺動自在に支持し、揺動軸部１６６に外嵌装着したバネ部材１７０で常にピース受部１６７の先端が第２ピース１５９のプレート１６１の下面側に当接するとともに、作用部１６８の先端が被規制部１５７ａの真上のロック位置に位置するよう揺動付勢する。
【００４０】
しかるときは、外刃ホルダ２９を装着すると、この右側壁９７の外壁９７ｂの第２切欠部１００に設けた押さえ部１００ａが、第１ピース１５５のホルダ受部１５５ａに接当押圧し、この接当押圧作用で第１ピース１５５を押上バネ部材１５６の弾力に抗して押し下げる。この第１ピース１５５の下降に伴い押さえ部１５５ｂが受けピン１６２を押圧することで、第２ピース１５９が水平姿勢のまま押上バネ部材１６５に抗し押し下げられて第３ピース１６０のピース受部１６７を押し下げる。これにより第３ピース１６０が揺動軸部１６６まわりに揺動して作用部１６３を節度板１５７の被規制部１５７ａの上方から退いてアンロック位置へ移動する。従って、スイッチノブ９をオン位置に上方スライド操作可能にする。つまり、外刃ホルダ２９を装着した時はモータ３５を起動することができる。その際、第１ピース１５５の押さえ部１５５ｂは揺動軸心Ｐを中心とする凸円弧状に形成してあるので、剃刃ユニット３がいずれの揺動角位置にあるときも、常に第１ピース１５９は第２ピース１５９の受けピン１６２を押しつづけ、スイッチノブ９のスライド操作を自由自在とする。
【００４１】
外刃ホルダ２９を取り外すと、第１ピース１５５が押上バネ部材１５６の弾性復帰力で自動的に上昇するに伴い第２ピース１５９が押上バネ部材１６５の弾性復帰力で自動上昇する。同時に第３ピース１６０がバネ部材１７０の弾性復帰力で前記と反対方向に揺動し、この揺動により作用部１６８が被規制部１５７ａの真上のロック位置に復帰する。従って、このときはスイッチノブ９をオン位置へ上方スライド操作することができないため、モータ３５を起動不能にし、外刃ホルダ２９を外して回転型の内刃２６を清掃したり、回転型の内刃２６を内刃ホルダ２５ごと交換するときも安全である。
【００４２】
（中立戻し機構）
切断ヘッド２には、不使用時にこれを常時中立位置に戻す方向に付勢する機構を備える。この機構は、図１２および図３８に示すように、駆動シャーシ２３のサイドフレーム４６の外面の前記軸穴５６まわりに設けたボス１７１に、ねじりコイル形の戻しバネ１７２のコイル部１７２ａを外嵌装着し、該コイル部１７２ａの両端から延出する二本の足部１７２ｂを、前記ボス１７１の下方に設けた一対のピン１７３・１７３間に通して該ピース１７３の下方に開口した円弧孔１７４に臨ませる。他方、基台２４のブラケット部５４の外面にピン１７５を取り付け、このピン１７５を円弧孔１７４に入れ、このピン１７５の溝１７５ａに前記戻しバネ１７２の足部１７２ｂの下端を係合させる。これにより剃刃ユニット３は、肌圧を受けることで、戻しバネ１７２の弾力に抗して前後方向に揺動するが、肌圧から解除されると戻しバネ１７２の弾力により中立位置に復位する。特に、肌の押し当てにより剃刃ユニット３が前後揺動した場合には、上記戻しバネ１７２による弾性復元力が剃刃ユニット３に作用するため、剃刃ユニット３は常に肌に対して密着する方向に付勢される。
【００４３】
（ヘッドロック機構）
鼻の下などを剃る場合は、剃刃ユニット３は揺動しないように固定している方が使いやすいため、剃刃ユニット３を固定して使用するためのヘッドロック機構が装備される。
このヘッドロック機構は、前記中立戻し機構と相まって成り立つもので、本体ケース１の右側にヘッドロックピン１７６を上下にスライド自在に備え、このヘッドロックピン１７６を、中立位置にある基台２４の下面に設けた切欠１７７に係合させることで、剃刃ユニット３が中立位置に保持される。
【００４４】
（毛くず侵入防止機構）
外刃２７・３１から毛くずが外部へ飛散する場合、この毛くずが本体ケース１内に侵入するおそれがあるため、これをより完全に防止する毛くず侵入防止機構が備えられる。この機構は、図６に示すごとく切断ヘッド２の前面下部に、具体的には駆動シャーシ２３の正面上縁に沿って形成した段部２３０にカバー部材であるエプロン１７９が、その上端部内面を前記段部２３０上に沿わせるように取り付けられるとともに、それの下端がヘッドガイド筒部１４の周壁１５の前面を覆うよう垂下状に配備される。これにより外刃２７・３１から外部へ飛散する毛くずが、ヘッドガイド筒部１４とスライド筒部２２とのすり合わせ面間に侵入するのを阻止する。また、図５に示すごとく切断ヘッド２の左右に取り付けたカバー部材であるキャップ６４・６５は、これの各下端が本体ケース１より上方へ突出するヘッドガイド筒部１４の周壁１５の外面を覆うまで延設させることで、当該箇所からも前記毛くずがヘッドガイド筒部１４とスライド筒部２２とのすり合わせ面間に侵入するのを防止する。なお、エプロン１７９は商品名などを表示する銘板に利用することもできる。
【００４５】
（きわ剃りユニット）
図６および図３９において、きわ剃りユニット１２はきわ剃りホルダ１９０に固定した固定くし刃１９１と、この固定くし刃１９１の上を往復摺動する可動くし刃１９２からなり、かつモータ出力を受け継いで可動くし刃１９２に伝動する係合子１９３を可動くし刃１９１に設けている。きわ剃りユニット１２はその刃先を下向きにして後ケース１Ｂの外面に沿う収納姿勢（図６の実線状態）と、その刃先を後方へ突出させる使用姿勢（図６の二点鎖線状態）とにわたって支軸１９４まわりに回動自在に備えられる。その姿勢切換え操作は、前述したように後ケース１Ｂの外面に上下スライド自在に備えた操作ノブ１３によって行われる。
【００４６】
図６に示すように、操作ノブ１３は、後ケース１Ｂの内面上に沿って上下スライド自在に装着したきわ剃りレバー１９７と一体的に結合する。きわ剃りレバー１９７はこれの上端に出退操作アーム１９９を有し、このアーム１９９の上端はきわ剃りホルダ１９０に係合する。いま、操作ノブ１３を上方へスライドさせると、きわ剃りレバー１９７も上動し、きわ剃りユニット１２が出退操作アーム１９９によって突き上げられて突出姿勢に切り換えられる。操作ノブ１３を下方へスライドさせると、きわ剃りレバー１９７も下動し、きわ剃りユニット１２が出退操作アーム１９９で引き下げられて収納姿勢に切り換えられる。
【００４７】
きわ剃りユニット１２とモータ３５の間には、モータ３５の回転を揺振運動に変えて可動くし刃１９２に伝達するための第３の駆動伝達手段１９８が設けられる。この手段は、図６および図３９に示すように、先端に二股部２００を、また中間に前後方向に長い透孔２０１をそれぞれ有する揺動アーム２０２を有する。この揺動アーム２０２の基端部はスライド筒部２２上に軸２０３で水平揺動自在に支持するとともに、透孔２０１内にモータ３５の出力軸３７に固着した偏心カム７０を嵌合させる。きわ剃りユニット１２が収納姿勢の状態では係合子１９３が揺動アーム２０２の二股部２００との係合を解除する。きわ剃りユニット１２が突出姿勢に切り換えられると、係合子１９３が揺動アーム２０２の二股部２００に係合し、モータ３５の回転が揺振運動に変えられて可動くし刃１９２に伝達される。
【００４８】
図６ないし図８、図１０および図４０において、上記きわ剃りユニット１２およびこれの駆動伝達手段１９８の組み付け要領について説明する。後ケース１Ｂに、予めきわ剃りユニット１２、きわ剃りレバー１９７、係合子１９３などのきわ剃り部品が組み込まれ、切断ヘッド２が組み付けられた状態下で、揺動アーム２０２が、ヘッドガイド筒部１４の後面に形成された開口部１５ａに通され、さらに切断ヘッド２側のスライド筒部２２および駆動シャーシ２３の各後壁に形成した切欠３２ａ・２３ａ（図３７参照）に通されることにより、きわ剃りユニット１２の係合子１９３と対向配備される。
【００４９】
（他の実施形態）
上記実施例では、剃刃ユニット３として回転内刃２６と往復動内刃３０とを併用してなるが、そのいずれか一方のみを備えるものであってもよい。剃刃ユニット３は揺動するものに限られず、駆動シャーシ２３のサイドフレーム４５・４６間で固定的に保持されるものであってもよい。
【００５０】
【発明の効果】
本発明の電気かみそりによれば、切断ヘッド２の下端にスライド筒部２２を一体的に形成し、このスライド筒部２２を本体ケース１の上端に設けたヘッドガイド筒部１４に押上バネ部材４２を介して上下動自在に、かつ上方抜け止め状に内嵌するものとした。従って、本体ケース１に対し切断ヘッド２はスライド筒部２２をヘッドガイド筒部１４に内嵌するだけの簡単な組み付け作業で足り、組み付け作業性の合理化を図ることができる。
【図面の簡単な説明】
【図１】本発明に係る電気かみそりの全体正面図である。
【図２】全体側面図である。
【図３】全体の分解斜視図である。
【図４】切断ヘッド部の縦断正面図である。
【図５】外刃ホルダを取り外した状態で示す切断ヘッド部の縦断正面図である。
【図６】切断ヘッド部の縦断側面図である。
【図７】切断ヘッド部と本体ケース上部とを分離状態で示す斜視図である。
【図８】前ケースの上端部とヘッドガイド筒部とを分離状態で示す斜視図である。
【図９】ヘッドガイド筒部の斜視図である。
【図１０】駆動シャーシの分解斜視図である。
【図１１】下部シャーシの斜視図である。
【図１２】駆動シャーシと基台とを分離状態で示す斜視図である。
【図１３】基台の斜視図である。
【図１４】基台の分解斜視図である。
【図１５】基台一部の斜視図である。
【図１６】基台と内刃ホルダを分離状態で示す斜視図である。
【図１７】基台と内刃ホルダをセットした状態で示す斜視図である。
【図１８】内刃ホルダの分解斜視図である。
【図１９】内刃ホルダ一部の斜視図である。
【図２０】内刃ホルダの斜視図である。
【図２１】回転内刃の駆動伝達機構を示す側面図である。
【図２２】内刃ホルダの係合ロック機構を示す縦断正面図である。
【図２３】基台にセットされた内刃ホルダと、外刃ホルダとを分離状態で示す斜視図である。
【図２４】外刃ホルダを一部切欠して示す平面図である。
【図２５】外刃ホルダの縦断側面図である。
【図２６】外刃ホルダの縦断正面図である。
【図２７】外刃ホルダの分解斜視図である。
【図２８】往復動内刃と外刃をセットした状態で示す斜視図である。
【図２９】往復動内刃と外刃をセットした状態で示す断面図である。
【図３０】往復動内刃と外刃を分離した状態で示す斜視図である。
【図３１】往復動内刃と外刃をセットした状態を一部切欠して示す斜視図である。
【図３２】外刃とその取り付け用部品を示す分解斜視図である。
【図３３】外刃ホルダの係合ロック機構を示す平面図である。
【図３４】安全スイッチ機構を示す正面図である。
【図３５】安全スイッチ機構の側面図である。
【図３６】安全スイッチ機構の一部平面図である。
【図３７】安全スイッチ機構の分解斜視図である。
【図３８】中立戻し機構を示す側面図である。
【図３９】きわ剃りユニットの駆動伝達手段を示す平面図である。
【図４０】切断ヘッドの他の組み付け要領を示す斜視図である。
【符号の説明】
１  本体ケース
２  切断ヘッド
３  剃刃ユニット
１４  ヘッドガイド筒部
２２  スライド筒部
２６  回転内刃
２７  回転内刃の外刃
３０  往復動内刃
３１  往復動内刃の外刃
３５  モータ
４２  押上バネ部材
６４・６５  キャップ（カバー部材）
６６  第１の駆動伝達手段
６８  第２の駆動伝達手段
１７９  エプロン（カバー部材）
【図１】
0004080017.tif 000002
【図２】
0004080017.tif 000003
【図３】
0004080017.tif 000004
【図４】
0004080017.tif 000005
【図５】
0004080017.tif 000006
【図６】
0004080017.tif 000007
【図７】
0004080017.tif 000008
【図８】
0004080017.tif 000009
【図９】
0004080017.tif 000010
【図１０】
0004080017.tif 000011
【図１１】
0004080017.tif 000012
【図１２】
0004080017.tif 000013
【図１３】
0004080017.tif 000014
【図１４】
0004080017.tif 000015
【図１５】
0004080017.tif 000016
【図１６】
0004080017.tif 000017
【図１７】
0004080017.tif 000018
【図１８】
0004080017.tif 000019
【図１９】
0004080017.tif 000020
【図２０】
0004080017.tif 000021
【図２１】
0004080017.tif 000022
【図２２】
0004080017.tif 000023
【図２３】
0004080017.tif 000024
【図２４】
0004080017.tif 000025
【図２５】
0004080017.tif 000026
【図２６】
0004080017.tif 000027
【図２７】
0004080017.tif 000028
【図２８】
0004080017.tif 000029
【図２９】
0004080017.tif 000030
【図３０】
0004080017.tif 000031
【図３１】
0004080017.tif 000032
【図３２】
0004080017.tif 000033
【図３３】
0004080017.tif 000034
【図３４】
0004080017.tif 000035
【図３５】
0004080017.tif 000036
【図３６】
0004080017.tif 000037
【図３７】
0004080017.tif 000038
【図３８】
0004080017.tif 000039
【図３９】
0004080017.tif 000040
【図４０】
0004080017.tif 000041